(57)【要約】【課題】雨天時の二輪車や三輪車での移動時の運転者の雨濡れを軽減し嵩の高い荷物も前カゴに収納でき、雨濡れから守れる前カゴカバーを提供する。【解決手段】前カゴカバーのハンドルに近い長辺で開閉できる雨よけ１１を連結し、普段はフタ１２に係着しておき、雨天時には、カゴ取り付けブラケットに取り付けた伸縮可能な雨よけ支持棒２０又はハンドルに取り付けた傘支持具や、傘支持具に取り付けた傘の柄の適宜位置に連結係止することにより運転者の雨濡れを軽減し、前カゴ開口部をハンドルに近い長辺で開閉可能に覆うフタ１２と外周カバー１４のあいだに雨よけ１１と同程度の大きさのマチ部分を含んだ荷物の側面および背面カバー１３を設けた。【選択図】図１
2018188116.tif 000002
【特許請求の範囲】
【請求項１】
二輪車、三輪車などに装着する前カゴカバーにおいて
撥水または防水性の素材で可撓性ある板状の雨よけ１１、フタ１２、前垂れ１２ａと撥水または防水性の素材の荷物の側面および背面カバー１３、外周カバー１４とカゴ取付けブラケット３０に容易に取り付けられる金属あるいは樹脂製で伸縮可能な雨よけ支持棒２０とで構成されており、
ハンドルに近い長辺で前記フタ１２と開閉可能に連結され
雨天時にひろげて前記雨よけ支持棒２０
又はハンドルに取り付けた傘支持具や、傘支持具に取り付けた傘の柄の適宜位置に連結係止することにより利用できる前記雨よけ１１を有することを特徴とする雨よけ付き前カゴカバー。
【請求項２】
ハンドルに近い長辺で開閉可能な前記フタ１２と前記外周カバー１４のあいだに前記雨よけ１１と同程度の大きさのマチ部分を含み、嵩の高い荷物の側面や背面を覆うことができる前記荷物の側面および背面カバー１３を有することを特徴とする請求項１に記載の雨よけ付き前カゴカバー。
【請求項３】
必要のない時には前記雨よけ１１は前記フタ１２に係着でき、
前記荷物の側面および背面カバー１３は畳むことができ、
前記雨よけ支持棒２０は縮めておけることを特徴とする請求項１〜２のいずれかに記載の雨よけ付き前カゴカバー。
【請求項４】
前記外周カバー１４の背面に前記カゴ取り付けブラケット３０を通すための穴１４ｂと前記穴１４ｂの下部を覆う部分１４ｃを有することを特徴とする請求項１〜３のいずれかに記載の雨よけ付き前カゴカバー。
【請求項５】
前記カゴ取り付けブラケット３０の切欠け穴に中央にねじ穴の開いた抜け落ち防止のためのプレート２０ａを乗せ、切欠け穴の下からツマミねじで容易に取り付けられる伸縮可能な雨よけ支持棒２０を有することを特徴とする請求項１〜４のいずれかに記載の雨よけ付き前カゴカバー。
【請求項６】
前カゴカバーの表面や、前記雨よけ１１をひろげた面の一部に光反射部４０を有することを特徴とする請求項１〜５のいずれかに記載の雨よけ付き前カゴカバー。
【請求項７】
前記フタ１２と前記荷物の側面および背面カバー１３の上端をオープンファスナーでつないだ場合には前記雨よけ１１と前記フタ１２と前記前垂れ１２ａの部分とそれ以外の部分の着せ替えが楽しめることを特徴とする請求項１〜６のいずれかに記載の雨よけ付き前カゴカバー。
【発明の詳細な説明】
【技術分野】
【０００１】本発明は二輪車、三輪車などに装着する雨よけ付き前カゴカバーに関するものである。
【背景技術】
【０００２】従来は、運転者の雨濡れを軽減する雨よけ機能を備えた前カゴカバーはなかった。
【先行技術文献】
【０００３】
【特許文献】
【特許文献】登録実用新案第３２１０１７８号公報
【発明の開示】
【発明が解決しようとする課題】
【０００４】（イ）雨天時の二輪車や三輪車での移動は傘だけでは雨が防ぎきれず運転者が濡れてしまう。
（ロ）カッパの利用は運転者の雨濡れ軽減に有効だが走行中に前身ごろに付着した雨水や身ごろに溜まった雨水が流れて下肢を濡らす。
（ハ）カッパは着脱するための場所や時間を必要とし、雨に濡れたカッパはその置き場所にも困り、濡れたカッパの繰り返しの着脱は運転者の雨濡れを増やすことも多い。
（ニ）雨天時には前カゴの荷物も濡れてしまう。
（ホ）従来のカゴカバーはカゴの外形に近い箱状で上端に取り付けられたファスナーで開閉するものが多く、それより大きな荷物を入れるとフタが閉められず、荷物が濡れてしまう。
（ヘ）カゴカバーの上部にたまった雨水も運転者や荷物の雨濡れの原因となり、カゴカバーの傷みの原因にもなる。
本発明はこれらの課題を解決するためになされたものである。
【課題を解決するための手段】
【０００５】（イ）可撓性のある樹脂製の板を撥水または防水性の生地で覆った
雨よけ１１、フタ１２、前垂れ１２ａと
撥水または防水性の生地の荷物の側面および背面カバー１３、外周カバー１４とカゴ取付けブラケット３０に容易に取り付けられる金属あるいは樹脂製で伸縮可能な雨よけ支持棒２０とで構成されており
雨天時にはハンドルに近い長辺で前記フタ１２と開閉可能に連結した前記雨よけ１１をひろげて
カゴ取付けブラケット３０に取り付けた任意の長さに伸ばした前記雨よけ支持棒２０又はハンドルに取り付けた傘支持具や、傘支持具に取り付けた傘の柄の適宜位置に連結係止することにより雨を遮り運転者の雨濡れを軽減する。
（ロ）前記雨よけ１１と同程度の大きさのマチ部分を含む前記荷物の側面および背面カバー１３で前記フタ１２と前記外周カバー１４をつなぐことで、嵩の高い荷物を収納でき、雨濡れから守る。
（ハ）前カゴに常時装着しておくものであり、必要ない時には
前記雨よけ１１は先端に設けた伸縮性のある係止手段１１ａを前記前垂れ１２ａに設けた留め具１２ｂに係止することで前記フタ１２に係着でき、
前記荷物の側面および背面カバー１３は前記雨よけ１１に設けた伸縮性のある係止手段１１ｃを前記荷物の側面および背面カバー１３に設けた留め具１３ａに係止して畳むことができ、前記雨よけ支持棒２０は縮めておくことができ邪魔にならない。
（ニ）前記雨よけ１１と前記フタ１２で傾斜をつくるので、カゴカバー上部に雨水がたまらない。
【発明の効果】
【０００６】（イ）前記雨よけ１１は必要ない時には畳んでおくことができ、
雨天時には留め具から外して任意の長さに伸ばした前記雨よけ支持棒２０、又はハンドルに取り付けた傘支持具や、傘支持具に取り付けた傘の柄の適宜位置に連結係止して利用でき、雨を遮ることによって運転者の胸もとから膝上までの雨濡れを軽減し、膝下の濡れも少なくできる。
（ロ）前カゴの荷物を雨濡れや汚れ、直射日光から守ることができるとともに、
前カゴの内容物が外から見えないのでプライバシーの保護やひったくりの防止にも役立つ。
（ハ）前記荷物の側面および背面カバー１３は必要ない時には畳んでおくことができ、雨天時や、嵩の高い荷物を入れる時に留め具を外してすぐに利用でき、荷物を雨濡れから守れる。
（ニ）可撓性のある前記雨よけ１１や前記フタ１２と前記伸縮性のある係止手段１１ｃによって荷物の形にそってフタができるので荷崩れや荷物の落下を防ぐことができる。
（ホ）雨天時には前記雨よけ１１と前記フタ１２とで傾斜をつくるので、カゴカバー上部にたまった雨水が運転者や荷物を濡らすことがない。
（ヘ）前カゴカバーの表面や前記雨よけ１１をひろげた面の一部に光反射部４０を設けているので夜間走行時の安全性を向上できる。
（ト）前カゴに常時装着しておくものなので持ち運ぶ手間がいらない。
【図面の簡単な説明】
【０００７】
【図１】本発明の雨よけ付き前カゴカバー１０を装着した状態であって、荷物の側面および背面カバー１３のマチ部分を解放し雨よけ１１をひろげて雨よけ支持棒２０に連結係止した状態を示す側面図である。
【図２】図１における斜視図である。
【図３】本発明の雨よけ支持棒２０を縮め、雨よけ１１を畳み、荷物の側面および背面カバー１３のマチ部分を畳んだ使用状態を示す斜視図である。
【図４】本発明の雨よけ１１を畳み、荷物の側面および背面カバー１３のマチ部分を解放し背の高い荷物を収納した使用状態を示す前面斜視図である。
【図５】本発明の雨よけ１１を畳み、荷物の側面および背面カバー１３のマチ部分を解放し嵩の高い荷物を収納した使用状態を示す斜視図である。
【図６】本発明の雨よけ１１をひろげて傘支持具に連結係止し、荷物の側面および背面カバー１３のマチ部分を解放した使用状態を示す斜視図である。
【図７】本発明の雨よけ付き前カゴカバー１０を説明するための展開状態の参考斜視図である。
【図８】本発明の雨よけ付き前カゴカバー１０を説明するための展開状態の背面からの参考斜視図である。
【図９】本発明の雨よけ支持棒２０をカゴ取り付けブラケット３０に固定する前の断面図である。
【図１０】前記雨よけ１１を前記雨よけ支持棒２０又はハンドルに取り付けた傘支持具や、傘支持具に取り付けた傘の柄の適宜位置に連結係止するための係止具１１ｂを目玉クリップにした参考図である。
【図１１】前記係止具１１ｂを髪飾りのような玉ゴムにした参考図である。
【発明を実施するための形態】
以下、本発明の実施形態について図を参照して説明する。
【０００８】図７、図８は本発明に係る前カゴカバーを説明するための展開状態の参考斜視図であり、図９は雨よけ支持棒２０をカゴ取り付けブラケット３０に固定する前の断面図である。
【０００９】本実施の形態に係る前カゴカバーは
雨よけ１１とフタ１２と前垂れ１２ａ
前記雨よけ１１程度の大きさのマチ部分を含んだ荷物の側面および背面カバー１３と外周カバー１４とカゴ取付けブラケット３０に取り付けた雨よけ支持棒２０とで構成されている。
以下、順次上記の各構成部分について説明する。
【００１０】前記雨よけ１１は
前記フタ１２を覆う大きさで可撓性のある樹脂製の板を撥水または防水性の生地で覆い、前記フタ１２とハンドルに近い長辺で開閉可能に連結する。
先端中央に伸縮性のある係止手段１１ａと係止具１１ｂを設け、
ハンドルに近い長辺中央に伸縮性のある係止手段１１ｃを設ける。
【００１１】前記フタ１２は
前カゴの開口部を覆う大きさで可撓性のある樹脂製の板を撥水または防水性の生地で覆い、前面以外の三辺と前記荷物の側面および背面カバー１３の上端をハンドルに近い長辺で開閉可能に連結し、
前記フタ１２と同じ幅で３分の２程度の長さに形成した可撓性のある樹脂製の板を撥水または防水性の生地で覆った前垂れ１２ａをハンドルに遠い長辺で連結する。
前記前垂れ１２ａの中央付近に留め具１２ｂ、裏面には面ファスナー１２ｃを設ける。
【００１２】前記荷物の側面および背面カバー１３は
撥水または防水性の生地で前記雨よけ１１程度の大きさのマチ部分を含み裾中央付近に留め具１３ａを設け、裾部分の中心と前記外周カバー１４の背面の上部の中心を合わせ、前面以外の概ね三辺を連結する。
【００１３】前記外周カバー１４は
撥水または防水性の生地で前カゴ外周を包み込み、筒状に形成しその上端側周縁部と背面の一部を除く下端側周縁部に収縮手段としての紐通し部とゴム紐が設けられ前カゴにフィットするように図られている。
前面に面ファスナー１４ａを設け、
背面には前カゴカバーを装着する際にカゴ取り付けブラケットを通すための穴１４ｂと前記穴１４ｂの下部を覆い面ファスナー１４ｄによって係着できる部分１４ｃを設ける。
内側上部四隅に係止紐１４ｅを設ける。
【００１４】前カゴカバー表面や、前記雨よけ１１をひろげた表面の一部に光反射部を設ける。
【００１５】伸縮可能な雨よけ支持棒２０は、金属あるいは樹脂製で
カゴ取り付けブラケット３０の切欠け穴に、中央にねじ穴の開いた抜け落ち防止のためのプレート２０ａを乗せ、切欠け穴の下からツマミねじ２０ｂで取り付ける。
【００１６】以下に各パーツの役割と関係性について説明する。
雨よけ１１は傘と併用した場合、傘と前カゴのあいだに降り込む雨を遮り、カッパと併用した場合にも前身ごろに付着する雨を軽減する。
フタ１２と前垂れ１２ａはカゴ開口部を覆って前カゴに入れた荷物の雨濡れを防ぎ外周カバー１４は前カゴの高さまでの荷物を雨濡れから守り、
荷物の背面および側面カバー１３はカゴからはみ出る嵩の高い荷物を収納し、雨濡れから守るために利用する。
伸縮性のある係止手段１１ａは留め具１２ｂとつないで前記雨よけ１１を前記フタ１２に係着するのに利用する。
係止具１１ｂは前記雨よけ１１を雨よけ支持棒２０、又はハンドルに取り付けた傘支持具や、傘支持具に取り付けた傘の柄の適宜位置への連結係止に利用する。
面ファスナー１２ｃと１４ａは前記前垂れ１２ａを前記外周カバー１４の前面に係着するために利用する。
伸縮性のある係止手段１１ｃは留め具１３ａとつないで前記荷物の側面および背面カバー１３を畳むのに利用する。
外周カバー背面の穴１４ｂは前カゴカバーを装着する際にカゴ取り付けブラケット３０を通すためにあり
面ファスナー１４ｄは前カゴカバーを取り付ける際に前記カゴ取り付けブラケット３０を通した穴１４ｂの下部を覆う部分１４ｃを係着するために利用する。
雨よけ支持棒２０は前記係止具１１ｂを連結係止して前記雨よけ１１の高さや傾きを保つためにある。
ねじ穴の開いたプレート２０ａは前記カゴ取り付けブラケット３０の切欠け穴にのせ、抜け落ち防止の役割を担い、
ツマミねじ２０ｂは前記雨よけ支持棒２０を取り付けるためにある。
係止紐１４ｅは前カゴカバーを取り付ける際に前カゴに結着して前カゴカバーの脱落やズレを防止するために利用する。
光反射部４０は夜間走行時の安全性を高める。
【００１７】以上、本発明の実施形態について説明したが、本発明の実施形態は上述した実施形態に限るものではない。
例えば前記雨よけ１１は透明な可撓性のある樹脂製の板でもよく、
前記雨よけ１１、フタ１２、前垂れ１２ａは撥水または防水性で可撓性がある板状であれば必ずしも板を生地等で覆う必要はない。
また、前記雨よけ１１の係止先は前垂れ１２ａに限らず係止手段もゴムの輪と留め具の組み合わせに限らず前記フタ１２にホック等で係止してもよい。
前記雨よけ１１の係止具１１ｂは実施例ではゴムの輪とコードストッパーを使用しているが、ゴムや紐とクリップ等の挟持手段の組み合わせや、髪留めなどの装飾したゴムを利用することも考えられる。
また、前記フタ１２の前面以外の三辺と前記荷物の側面および背面カバー１３の上端とを連結する際にオープンファスナーを使用した場合には、前記雨よけ１１と前記フタ１２と前記前垂れ１２ａの部分とそれ以外の部分とで色や柄の組み合わせを替えて楽しむことができる。
【符号の説明】
【００１８】１０    雨よけ付き前カゴカバー
１１    雨よけ
１１ａ  伸縮性のある係止手段
１１ｂ  係止具
１１ｃ  伸縮性のある係止手段
１２    フタ
１２ａ  前垂れ
１２ｂ  留め具
１２ｃ  面ファスナー
１３    荷物の側面および背面カバー
１３ａ  留め具
１４    外周カバー
１４ａ  面ファスナー
１４ｂ  穴
１４ｃ  穴の下部を覆う部分
１４ｄ  面ファスナー
１４ｅ  係止紐
２０    雨よけ支持棒
２０ａ  ねじ穴の開いたプレート
２０ｂ  ツマミねじ
３０    カゴ取り付けブラケット
４０    光反射部
【図１】
2018188116.tif 000003
【図２】
2018188116.tif 000004
【図３】
2018188116.tif 000005
【図４】
2018188116.tif 000006
【図５】
2018188116.tif 000007
【図６】
2018188116.tif 000008
【図７】
2018188116.tif 000009
【図８】
2018188116.tif 000010
【図９】
2018188116.tif 000011
【図１０】
2018188116.tif 000012
【図１１】
2018188116.tif 000013